(57)【要約】【課題】電子文書を閲覧するに際して、小型、低コストを維持しながら、ユーザの使用状況やファイルの特性に応じて、煩雑な操作を必要とせず、簡単な操作で、素早く目的のページへアクセスできるインターフェイスを備えた情報表示装置を提供する。【解決手段】表示対象の文書ファイルにページの表示優先度情報を付加し、ユーザによる操作を介して、表示するページの表示優先度を示す操作指示を取得し、それに基づき文書ファイルからページを読み込み、表示する、あるいは表示中のページの表示優先度を更新し、文書ファイルに書き込む。【選択図】図１
2011118505.tif 000002
【特許請求の範囲】
【請求項１】
情報をページ構成した電子ファイルを表示用ファイルとして保存する記憶手段と、
前記記憶手段に保存された前記表示用ファイルの任意のページの情報をユーザが視認できる表示形式で表示する表示手段と、
ユーザの操作を受けて、前記表示手段の表示するページに関する操作指示を取得する操作手段と
前記操作手段により取得された前記操作指示に応じて、前記表示手段の表示するページを制御する表示制御手段と、
を備えた情報表示装置であって、
前記表示制御手段は、
前記表示用ファイルに付加的に書き込まれた、当該表示用ファイルの少なくとも１つのページの表示優先度を記述する表示優先度情報を読み取る処理を行う表示優先度処理部と、
前記表示優先度処理部により読み取った表示優先度情報に従って、前記表示手段に表示するページを切り換える表示更新処理部と、を有し、
前記操作手段は、ユーザによる操作を受け、前記表示手段に表示するページの表示優先度を指示し、当該ページを表示させる操作指示を取得する第１の操作部を有し、
前記表示更新処理部は、前記第１の操作部が取得した前記操作指示の示す表示優先度に従い、前記表示手段の表示するページを、当該表示優先度に対応するページに切り換える
ことを特徴とする情報表示装置。
【請求項２】
前記記憶手段は、
複数の前記電子ファイルを、前記表示用ファイルとして表示順序を付けて保存し、
前記表示更新処理部は、
前記第１の操作部が取得した前記操作指示の示す表示優先度に対して、前記表示手段の表示しているページを、前記表示順序に従った次の表示用ファイルにおける当該表示優先度に対応するページに切り換える
ことを特徴とする請求項１に記載の情報表示装置。
【請求項３】
前記操作手段は、
前記記憶手段に保存している複数の前記電子ファイルのうち、前記表示手段に表示するための表示用ファイルとして少なくとも２つを取得するファイル選択操作部を有し、
前記表示更新処理部は、
前記第１の操作部により取得された前記操作指示の示す表示優先度に従って前記表示手段に表示するページを、前記ファイル選択操作部により取得された表示用ファイルのページに限定する
ことを特徴とする請求項２に記載の情報表示装置。
【請求項４】
前記表示優先度処理部は、
前記表示用ファイルの少なくとも１つのページの表示優先度を記述する表示優先度情報を、前記表示用ファイルに付加的に書き込む、及び書き換える処理を行う機能を有し、
前記表示更新処理部により前記表示手段に表示するページが切り換えられたときに、新たに表示されたページの表示優先度が最も表示優先度が高くなるように、表示している表示用ファイルの表示優先度情報を書き換える
ことを特徴とする請求項１から３の何れか１項に記載の情報表示装置。
【請求項５】
前記操作手段は、
ユーザによる操作を受け、前記表示手段に表示しているページに対応する新たな表示優先度を指示し、前記表示優先度情報を更新させる更新指示を取得する第２の操作部を有し、
前記表示優先度処理部は、
前記表示用ファイルの少なくとも１つのページの表示優先度を記述する表示優先度情報を、前記表示用ファイルに付加的に書き込む、及び書き換える処理を行う機能を有し、
前記第２の操作部が取得した前記更新指示に従い、前記表示手段の表示しているページの表示優先度が指示された表示優先度になるように、表示している表示用ファイルの表示優先度情報を書き換える
ことを特徴とする請求項１から３の何れか１項に記載の情報表示装置。
【請求項６】
前記表示優先度処理部は、
前記表示手段に表示しているページの表示優先度情報を書き換える際に、当該ページの属する表示用ファイル以外の表示用ファイルがあれば、それらの表示用ファイルについても、当該ページに対応するそれぞれのページの表示優先度情報を書き換える
ことを特徴とする請求項４または５に記載の情報表示装置。
【請求項７】
前記記憶手段は、
予め前記表示優先度情報が付加的に書き込まれた前記電子ファイルを保存する
ことを特徴とする請求項１から６の何れか１項に記載の情報表示装置。
【発明の詳細な説明】
【技術分野】
【０００１】
本発明は、文書を閲覧する情報表示装置に関するものであり、特に、ページ構成した電子ファイルをページ単位で表示し、ユーザの操作により表示するページの更新制御を行う情報表示装置に関するものである。
【背景技術】
【０００２】
近年、書籍等を電子データ化して販売、配布する環境が整いつつある。また電子ペーパと呼ばれるメモリ性を有する表示デバイスが量産化されてきている。これらにより、書籍を読むための専用の端末が普及しつつある。
【０００３】
一方、オフィスにおける電子文書の閲覧は、パーソナルコンピュータ（以下、ＰＣという）やプリンタによる出力で行われており、電子書籍のように閲覧専用端末の普及は遅れている状況である。
【０００４】
その理由は、現状、紙書類に匹敵する利便性を提供できる端末がないことに帰する。
【０００５】
オフィスなどでは、多くの電子文書はコンピュータ経由で入手され、ＰＣ上のアプリケーションにより閲覧できる。そこでは、何度も読み返すような文書は必ずしもページ順には読まれず、重要なページが優先して読まれる。定型文書のように、特定のページを開く頻度が高いような文書も多い。
【０００６】
このような文書においては、プリント出力して閲覧する方が見やすく、扱いやすいことから、プリントは、押印必要文書や配布文書用だけでなく、文書の閲覧目的でも利用されている。
【０００７】
省エネルギーや、節約の観点から、出力枚数を減らしたいユーザの要望はあるものの、現状は紙書類に匹敵する利便性を提供する端末はない。
【０００８】
例えば、オフィス文書は、小説のように１ページずつ読み進むばかりでなく、前述のように特定のページのみを何度も閲覧することが多い。また、複数の書類を拡げて、見比べながら読む場合がある。
【０００９】
しかしながら、ＰＣのインターフェイスはマウスやキーボードを前提としている。また、電子書籍端末上のユーザインターフェイスは、ページを順に送る、戻す操作が基本となっている。
【００１０】
そのために、上記のような使用場面において、特定のページを開くためには、メニュー画面を呼び出す、目次から選択するなどの煩雑な操作が必要となり、紙文書をめくる方がユーザの操作負荷が小さい。
【００１１】
また、表示部の面積を大きくして、複数のページを表示すれば、書類の一覧性は増すものの、軽量、小型といった端末の利便性を失うこととなる。
【００１２】
このように、オフィスにおける文書の閲覧は、依然としてＰＣと紙が併用されており、特定のページを何度も閲覧しやすくする、あるいは複数の文書を読み比べやすくするといった、紙の利便性を代替する技術が求められている。
【００１３】
特定のページへアクセスするための技術として、ユーザの操作により、表示中のページにしおりを付与する機能が提案されている。
【００１４】
特許文献１には、登録操作により、再生操作時に開くページの表示順を予め決めておく技術が提示されている。
【先行技術文献】
【特許文献】
【００１５】
【特許文献１】特開２００８−１５７９０号公報
【発明の概要】
【発明が解決しようとする課題】
【００１６】
従来の、ユーザの操作により表示中のページにしおりを付与する技術においては、しおりの情報は端末上に記憶される。そして例えば、しおりページを呼び出す場合は、事前にメニュー画面を表示する、複数のしおりを付与した場合はその中から所望のページを選択する、といった操作が必要となり、目的のページを簡単な操作で呼び出す手段がない。
【００１７】
特許文献１に記載の技術では、対象ページすべての表示順をシナリオ化するもので、事後の変更に融通性がなく、シナリオ再生中に表示順を変更することは困難で、対象ページ以外の閲覧もできない。例えば、書類を１ページずつ閲覧しながら、時折、特定のページを呼び出すといった使い方はできない。
【００１８】
本発明は、上記のような技術的背景に鑑みてなされたものである。
【００１９】
本発明の目的は、電子文書を閲覧するに際して、小型、低コストを維持しながら、ユーザの使用状況やファイルの特性に応じて、煩雑な操作を必要とせず、簡単な操作で、素早く目的のページへアクセスできるインターフェイスを備えた情報表示装置を提供することである。
【課題を解決するための手段】
【００２０】
上記の課題を解決するために、本発明は以下の特徴を有するものである。
【００２１】
１．情報をページ構成した電子ファイルを表示用ファイルとして保存する記憶手段と、
前記記憶手段に保存された前記表示用ファイルの任意のページの情報をユーザが視認できる表示形式で表示する表示手段と、
ユーザの操作を受けて、前記表示手段の表示するページに関する操作指示を取得する操作手段と
前記操作手段により取得された前記操作指示に応じて、前記表示手段の表示するページを制御する表示制御手段と、
を備えた情報表示装置であって、
前記表示制御手段は、
前記表示用ファイルに付加的に書き込まれた、当該表示用ファイルの少なくとも１つのページの表示優先度を記述する表示優先度情報を読み取る処理を行う表示優先度処理部と、
前記表示優先度処理部により読み取った表示優先度情報に従って、前記表示手段に表示するページを切り換える表示更新処理部と、を有し、
前記操作手段は、ユーザによる操作を受け、前記表示手段に表示するページの表示優先度を指示し、当該ページを表示させる操作指示を取得する第１の操作部を有し、
前記表示更新処理部は、前記第１の操作部が取得した前記操作指示の示す表示優先度に従い、前記表示手段の表示するページを、当該表示優先度に対応するページに切り換える
ことを特徴とする情報表示装置。
【００２２】
２．前記記憶手段は、
複数の前記電子ファイルを、前記表示用ファイルとして表示順序を付けて保存し、
前記表示更新処理部は、
前記第１の操作部が取得した前記操作指示の示す表示優先度に対して、前記表示手段の表示しているページを、前記表示順序に従った次の表示用ファイルにおける当該表示優先度に対応するページに切り換える
ことを特徴とする前記１に記載の情報表示装置。
【００２３】
３．前記操作手段は、
前記記憶手段に保存している複数の前記電子ファイルのうち、前記表示手段に表示するための表示用ファイルとして少なくとも２つを取得するファイル選択操作部を有し、
前記表示更新処理部は、
前記第１の操作部により取得された前記操作指示の示す表示優先度に従って前記表示手段に表示するページを、前記ファイル選択操作部により取得された表示用ファイルのページに限定する
ことを特徴とする前記２に記載の情報表示装置。
【００２４】
４．前記表示優先度処理部は、
前記表示用ファイルの少なくとも１つのページの表示優先度を記述する表示優先度情報を、前記表示用ファイルに付加的に書き込む、及び書き換える処理を行う機能を有し、
前記表示更新処理部により前記表示手段に表示するページが切り換えられたときに、新たに表示されたページの表示優先度が最も表示優先度が高くなるように、表示している表示用ファイルの表示優先度情報を書き換える
ことを特徴とする前記１から３の何れか１項に記載の情報表示装置。
【００２５】
５．前記操作手段は、
ユーザによる操作を受け、前記表示手段に表示しているページに対応する新たな表示優先度を指示し、前記表示優先度情報を更新させる更新指示を取得する第２の操作部を有し、
前記表示優先度処理部は、
前記表示用ファイルの少なくとも１つのページの表示優先度を記述する表示優先度情報を、前記表示用ファイルに付加的に書き込む、及び書き換える処理を行う機能を有し、
前記第２の操作部が取得した前記更新指示に従い、前記表示手段の表示しているページの表示優先度が指示された表示優先度になるように、表示している表示用ファイルの表示優先度情報を書き換える
ことを特徴とする前記１から３の何れか１項に記載の情報表示装置。
【００２６】
６．前記表示優先度処理部は、
前記表示手段に表示しているページの表示優先度情報を書き換える際に、当該ページの属する表示用ファイル以外の表示用ファイルがあれば、それらの表示用ファイルについても、当該ページに対応するそれぞれのページの表示優先度情報を書き換える
ことを特徴とする前記４または５に記載の情報表示装置。
【００２７】
７．前記記憶手段は、
予め前記表示優先度情報が付加的に書き込まれた前記電子ファイルを保存する
ことを特徴とする前記１から６の何れか１項に記載の情報表示装置。
【発明の効果】
【００２８】
本発明に係る情報表示装置によれば、電子文書を閲覧するに際して、表示対象の文書ファイルにページの表示優先度情報を付加し、ユーザによる操作を介して、表示するページの表示優先度を示す操作指示を取得し、それに基づき文書ファイルからページを読み込み、表示する、あるいは表示中のページの表示優先度を更新し、文書ファイルに書き込む。
【００２９】
これにより、小型、低コストを維持しながら、ユーザの使用状況やファイルの特性に応じて、煩雑な操作を必要とせず、簡単な操作で、素早く目的のページへアクセスできる。
【図面の簡単な説明】
【００３０】
【図１】本実施形態に係る情報表示装置の機能構成例を示すブロック図である。
【図２】本実施形態に係る情報表示装置の外観と操作部の配置例を示す外観図である。
【図３】表示優先度設定のためのウィンドウ表示例を示す図である。
【図４】電子ファイルに付加される表示優先度情報の一例を示す図である。
【図５】表示更新動作例１の各操作ステップでの表示動作内容と表示優先度情報を示す対応表である。
【図６】表示更新動作例２の各操作ステップでの表示動作内容と表示優先度情報を示す対応表である。
【図７】表示更新動作例３の各操作ステップでの表示動作内容と表示優先度情報を示す対応表である。
【図８】表示更新動作例４の各操作ステップでの表示動作内容と表示優先度情報を示す対応表である。
【図９】表示更新動作例５の各操作ステップでの表示動作内容と表示優先度情報を示す対応表である。
【図１０】２ファイルへのファイル限定操作時の表示例を示す図である。
【発明を実施するための形態】
【００３１】
以下、本発明に係る情報表示装置の実施形態を、図を参照して説明する。
【００３２】
（情報表示装置の機能構成）
図１は、本実施形態に係る情報表示装置の機能構成例を示すブロック図である。また図２は、同じく情報表示装置の外観と操作部の配置例を示す外観図である。図１及び図２を用いて、本実施形態に係る情報表示装置の機能構成例を説明する。
【００３３】
本情報表示装置本体の外観は図２の符号１で示される。この情報表示装置１は、ＣＰＵを有する情報処理端末であり、図１で示される各機能構成要素を有している。
【００３４】
情報表示装置１の概略機能は、ユーザによる文書の閲覧である。すなわち、コンピュータ等から文書の電子ファイルを取得し、記憶すること、及びその電子ファイルを表示用ファイルとして表示することであり、これらはユーザの操作による指示を受けて行われる。
【００３５】
図１の機能構成例において、５０はインターフェイスである。外部の装置と有線あるいは無線で接続し、主にファイル転送などの処理を受け持つ。取得する電子ファイルについては、後述する。
【００３６】
４０は記憶部であり、記憶手段として機能する、すなわち、取得した電子ファイルを保存する。電子ファイルはページ構成されている。詳細は後述するが、電子ファイルはページの表示優先度情報が付加されている。あるいは、本情報表示装置にて付加するようにしてもよい。
【００３７】
電子ファイルは、複数のファイルが保存されてもよい。その場合、それらすべてを表示用ファイルとしてもよいし、限定された数の表示用ファイルを設定するようにしてもよい。それらの設定の意図については後述の表示更新動作例で説明する。
【００３８】
２０は表示部であり、表示手段として機能する。表示用ファイルの任意のページの情報が、図２に外観を示す表示画面２にユーザが視認できる表示形式（例えばテキスト表示）で表示される。表示内容は一時的にメモリ６０に記憶され、後述する表示制御手段によって表示制御される。
【００３９】
１０は操作部であり、操作手段として機能する。操作部１０は、ページ送り戻し操作部１１、ファイル選択操作部１２、第１の操作部１３、第２の操作部１４などを有している。これらの操作部は、ユーザの操作を受けて、表示部２０の表示するページに関する操作指示を取得する。
【００４０】
ページ送り戻し操作部１１は、表示部２０に表示するページを送る、あるいは戻す指示を取得する。ファイル選択操作部１２は、複数の電子ファイルから表示用ファイル指定する指示を取得する。第１の操作部１３は、表示部２０に表示すべきページの表示優先度を指示し、表示させる操作指示を取得する。第２の操作部１４は、表示部２０に表示しているページに対応する表示優先度情報の更新指示を取得する。
【００４１】
これら各操作部については、後述する操作部の構成で詳細を説明する。
【００４２】
３０は表示制御部であり、表示制御手段として機能する。表示制御部３０は、表示優先度処理部３１、表示更新処理部３２、その他制御部３３などを有している。これらの処理部は、上記の操作手段１０により取得された操作指示に応じて、表示部２０の表示するページを制御する。
【００４３】
表示優先度処理部３１は、表示用ファイルに付加された、ページの表示優先度を記述する表示優先度情報を読み取る、及び書き換える処理を行う。表示更新処理部３２は、上記表示優先度処理部３１により読み取った表示優先度情報に従って、表示部２０に表示するページを切り換える。その他制御部３３は、その他の表示に関する制御、またファイルの処理全般に関する制御を行う。
【００４４】
表示優先度に関わる表示制御については、後述する表示更新動作例で詳細に述べる。
【００４５】
（操作部の構成）
図２の外観図には、操作手段１０の各操作部の配置例を示す。各操作部について説明する。各操作部は、押しボタン式のスイッチや、タッチセンサなど形態は任意である。あるいは、表示画面２上に設けたＧＵＩ上の操作でもよい。
【００４６】
＜ページ送り戻し操作部＞
ページ送り戻し操作部１１は、図に左右方向の矢印で示すようにスライド可能な操作部であり、右方向のスライド操作を１１ａ、左方向へのスライド操作を１１ｂと表記することにする。スライド操作を行った後は中央部に復帰する。
【００４７】
操作１１ａは、ページ送りを指示する操作であり、ページ送り戻し操作部１１は、表示部２０に表示しているページを次のページに切り換える指示を取得する。
【００４８】
同様に、操作１１ｂは、ページ戻しを指示する操作であり、ページ送り戻し操作部１１は、表示部２０に表示しているページを前のページに切り換える指示を取得する。
【００４９】
ページ送り戻し操作部１１の操作形態は任意であり、スライド形式に限定しない。ページ送り１１ａとページ戻し１１ｂの２通りの指示が取得できればよい。例えばボタンを２つ設けてもよい。
【００５０】
＜ファイル選択操作部＞
ファイル選択操作部１２は、複数の電子ファイルから表示用ファイルを指定する指示を取得する。
【００５１】
既述したように、複数の電子ファイルが記憶部４０に保存されている場合、それらすべてを表示用ファイルとしてもよいし、限定された数の表示用ファイルを設定するようにしてもよい。それらの設定をファイル選択操作部１２で行い、表示用ファイルとして選択されたファイルを取得する。
【００５２】
ファイル選択操作部１２の形態は任意である。表示用ファイルの指定（複数でもよい、さらに保存しているファイルすべてであってもよい）ができればよい。
【００５３】
表示用ファイルが複数の場合、それらには、表示順序が指定されているものとする。あるいは、ファイル選択操作部１２に、表示順序も合わせて指定する機能を設けておいてもよい。表示順序の決め方は任意でよい。
【００５４】
＜第１の操作部＞
第１の操作部１３は、表示部２０に表示すべきページの表示優先度を指示し、表示させる操作指示を取得する。
【００５５】
図２において、第１の操作部１３は２つのボタンを有している。表示優先度１のページを表示させるための第１優先ボタン１３ａと表示優先度２のページを表示させるための第２優先ボタン１３ｂである。第３、第４と、ボタンの数はさらに増やしてもかまわない。
【００５６】
第１優先ボタン１３ａを押す操作を操作１３ａ、第２優先ボタン１３ｂを押す操作を操作１３ｂと表記することにする。
【００５７】
操作１３ａは、表示するページを指定する操作であり、第１の操作部１３は、表示優先度１のページを表示させる指示を取得する。
【００５８】
操作１３ｂも同じく、表示するページを指定する操作であり、第１の操作部１３は、表示優先度２のページを表示させる指示を取得する。
【００５９】
後述するように、これらの指示は表示更新処理部３２で処理され、表示部２０の表示するページがユーザによる単一の操作（操作１３ａまたは操作１３ｂ）で、表示優先度１のページまたは表示優先度２のページに切り換えられることになる。
【００６０】
第１の操作部１３の操作形態は任意である。表示優先度１のページを指定する操作１３ａの指示が取得でき、さらには表示優先度２、３・・・と必要なだけの優先度のページを指定できる操作指示が取得できればよい。
【００６１】
＜第２の操作部＞
第２の操作部１４は、表示部２０に表示しているページに対応する表示優先度情報の更新指示を取得する。
【００６２】
図２において、第２の操作部１４は単独のボタンを有している。表示中のページの表示優先度を最優先、すなわち表示優先度１へと更新させるためのボタンである。必要ならば、優先度２、優先度３へと更新させるため、ボタンの数を増やしてもかまわない。
【００６３】
第２の操作部１４の（本実施形態では単独の）ボタンを押す操作を操作１４ａと表記することにする。操作１４ａは、表示しているページを表示優先度１に指定する操作であり、第２の操作部１４はその旨の指示を取得する。
【００６４】
後述するように、この指示は表示優先度処理部３１で処理され、表示部２０の表示しているページが表示優先度１となるように表示優先度情報に書き込まれる。それに従い、従来の表示優先度１であったページは表示優先度１ではなくなる。あるいは表示優先度２となるように更新し、さらに表示優先度２のページは表示優先度３へと、順送りに書き換えられるようにしてもよい。
【００６５】
ユーザが、表示中のページを頻繁に参照したいページであると判断したとき、ユーザによる単一の操作１４ａで表示優先度１のページへと優先度が更新されることになる。
【００６６】
第２の操作部１４の操作形態は任意である。もし表示優先度１の指定以外に、さらに表示優先度２、３・・・と指定が必要であれば、それだけの優先度を指定できる操作指示が取得できればよい。
【００６７】
（ファイルに付加する表示優先度情報について）
本情報表示装置にて表示するための表示用ファイルは、外部装置から取得される。
【００６８】
例えば、端末としての本情報表示装置１を、電子ファイルを保持しているホストＰＣとインターフェイス５０を介して接続し、ＰＣから任意の文書ファイルをファイル転送し、本装置１の記憶部６０へ格納する。このとき転送された電子ファイルには、ファイルを構成するページの表示の優先度を記述した表示優先度情報が付加されている。
【００６９】
表示優先度情報は、予めＰＣサイドで付加されるのが好ましい。
【００７０】
図４に電子ファイルに付加される表示優先度情報の一例を示す。
【００７１】
例えば、ＰＣサイドでアプリケーションが実行され、任意の文書ファイルに対して図３に示すような表示優先度設定のためのウィンドウがＰＣの表示画面に表示される。これにより、予め設定されたルールに従い、優先度設定を可能とする。
【００７２】
例えば、図３に示すウィンドウで、「自動１」を選択すると、図４に例示したように、１ページ目が表示優先度１、１０ページ目が表示優先度２といった順に優先度が定められ、表示優先度情報として付加される。
【００７３】
自動的にページの表示優先度を設定する方法としては、ＰＣ上のアプリケーションで文書ファイルの目次を読み取り、文書中のカテゴリー毎に優先度を設定することもできる。
【００７４】
例えば、特許公報文書に対して、表紙ページを表示優先度１に、図面の開始ページを表示優先度２に、請求項のページを表示優先度３に設定する。
【００７５】
あるいは、アプリケーション上で画像ファイルに変換し、端末としての本情報表示装置へ転送し、転送前に各ページの画像情報を読み取り、図表のあるページの表示優先度を高くする、といった方法も実行することが可能である。
【００７６】
設定方法の指定がない場合は、デフォールト設定として表示優先度情報を空白とする、もしくはページ番号順と記述しておくといった方法も採れる。
【００７７】
頻繁に参照することを予期されるページの表示優先度を高くしておくことがねらいであり、表示優先度の設定方法は上記に限定されるものではない。
【００７８】
もちろん自動設定にも限定されず、ＰＣ上のアプリケーションによるものとも限らない。端末としての本情報表示装置サイドで、取得した電子ファイルに各ページの表示優先度情報を設定し、付加するような形態でもかまわない。
【００７９】
表示優先度情報は、ファイルヘッダーに一体的に記録するような形態でもよいし、ページ属性を記述するファイルを別に作成して付加するような形態でもよい。表示優先度情報を電子ファイルに付加する形態もこれらに限るものではない。
【００８０】
（ファイルの表示動作、更新処理の制御について）
表示用の文書ファイルにページの表示優先度情報を付加しておく目的は、ユーザが本情報表示装置を用いて文書を閲覧中、特に頻繁に参照するページに対して、煩雑な操作を要せず、簡単に、すなわち好ましくは単一の操作により、直接的に意図するページを表示させることを可能にするためである。また予め設定した表示優先度に固定するのではなく、好ましくは単一の操作によりユーザが表示ページの表示優先度を更新できることを可能にするためである。
【００８１】
具体的に本情報表示装置を用いて、優先度の高いページを参照する動作、表示ページの優先度を更新する制御について説明する。
【００８２】
表示優先度に関わる制御は、既述した表示制御手段３０の、特に表示更新処理部３２と表示優先度処理部３１とが行う。
【００８３】
表示優先度処理部３１は、表示用ファイルに付加された表示優先度情報を読み取る、あるいは書き込む処理を行う。表示更新処理部３２は、上記表示優先度処理部３１により読み取った表示優先度情報に従って、表示部２０に表示するページを切り換える。
【００８４】
これらの処理部を含む表示制御手段３０によって、以下のような表示用ファイルの表示制御が実行される、あるいは実行されるよう設定してもよい。
【００８５】
１．  取得した電子ファイルを表示用ファイルとして記憶部４０に保存する。但し、表示用ファイルには上述した表示優先度情報が付加されている。
【００８６】
２．  ページ送り戻し操作部１１を介したユーザ指示により、表示更新処理部３２は、指定された次のページ、あるいは前のページを表示部２０に表示するように切り換える。
【００８７】
３．  第１の操作部１３を介したユーザ指示により、表示更新処理部３２は、指定された表示優先度のページを表示部２０に表示するように切り換える（後述の表示更新動作例１参照）。
【００８８】
４．  表示用ファイルは複数であってもよい。その場合複数の表示用ファイルは、表示順序が設定されていることが望ましい。
【００８９】
５．  また、記憶部４０の保存するファイルすべて、もしくはそのうち限定した数のファイルが表示用ファイルである。それはファイル選択操作部１２を介して指示され、表示制御手段３０によって限定されるような制御の設定も可能である。
【００９０】
６．  表示ファイルが複数の場合は、第１の操作部１３を介したユーザ指示により、表示部２０に表示するページを切り換えるに際して、表示更新処理部３２がファイルの表示順序に従い、表示するファイルも切り換えるような制御の設定も可能である（後述の表示更新動作例２参照）。
【００９１】
７．  表示更新処理部３２により表示部２０の表示ページが切り換えられたときに、表示優先度処理部３１は、新たに表示されたページの表示優先度が最も表示優先度が高くなるように、表示している表示用ファイルの表示優先度情報を書き換えるような制御の設定も可能である（後述の表示更新動作例３参照）。
【００９２】
８．  第２の操作部１４を介したユーザ指示により、表示優先度処理部３１は、表示部２０に表示されているページの表示優先度が指示された表示優先度になるように、表示している表示用ファイルの表示優先度情報を書き換えるような制御の設定も可能である（後述の表示更新動作例４参照）。
【００９３】
９．  ファイル選択操作部１２を介して、表示用ファイルの数が限定して設定されているときは、表示優先度処理部３１が、表示部２０に表示している表示用ファイルのページの表示優先度情報を書き換えるに際して、表示部２０に表示していない非表示のファイルに対しても、当該ページに対応するそれぞれのページの表示優先度情報を書き換えるような制御の設定も可能である（後述の表示更新動作例５参照）。
【００９４】
上記のような表示動作、及び更新処理の制御により、電子文書を閲覧するに際して、小型、低コストを維持しながら、ユーザの使用状況やファイルの特性に応じて、煩雑な操作を必要とせず、簡単な操作で、素早く目的のページへアクセスできる。
【００９５】
上記のような表示制御による具体的な表示動作の例を以下に示す。
【００９６】
（表示更新動作例１）
図５は、表示更新動作例１の各操作ステップでの表示ファイルと、表示ページ、表示優先度情報を示す対応表である。図５を用いて表示更新動作例１の表示動作について説明する。
【００９７】
ファイルＡに設定された表示優先度情報は、図４に示したと同様であるとする。
【００９８】
ステップＳ１で、情報表示装置の表示が起動し、表示用ファイルＡの先頭ページ、Ｐ１（以降ページをＰと称す）が表示される。
【００９９】
ステップＳ２で、操作１１ａにより、表示するページがＰ１からＰ２に送られる。
【０１００】
ステップＳ３で、操作１３ｂにより、表示するページがＰ２から表示優先度２のＰ１０に切り換えられる。
【０１０１】
ステップＳ４で、操作１３ａにより、表示するページがＰ１０から表示優先度１のＰ１に切り換えられる。
【０１０２】
このように、第１の操作部１３に割り付けられている表示優先度１、もしくは２のページを単一の操作で簡単に呼び出すことができる。
【０１０３】
（表示更新動作例２）
図６は、表示更新動作例２の各操作ステップでの表示ファイルと、表示ページ、表示優先度情報を示す対応表である。図６を用いて表示更新動作例２の表示動作について説明する。
【０１０４】
複数の表示用ファイルＡ、Ｂ、Ｃが、この表示順序で保存されているとする。３つのファイルともに、設定された表示優先度情報は図４に示したと同様であるとする。
【０１０５】
ステップＳ１で、情報表示装置の表示が起動し、表示用ファイルＡの先頭ページ、Ｐ１が表示される。
【０１０６】
ステップＳ２で、操作１３ｂにより、表示するファイルがファイルＡからファイルＢに切り換えられ、それとともに表示するページがファイルＡのＰ１からファイルＢの表示優先度２のＰ１０に切り換えられる。
【０１０７】
ステップＳ３でも同様に、操作１３ｂにより、表示するファイルがファイルＢからファイルＣに切り換えられ、それとともに表示するページがファイルＢのＰ１０からファイルＣの表示優先度２のＰ１０に切り換えられる。
【０１０８】
ステップＳ４でも、操作１３ｂにより、同様の表示の切り換えが起こる。但し、表示するファイルが、ファイルＣから最初のファイルＡに戻る。すなわちファイルＡのＰ１０が表示される。
【０１０９】
ステップＳ５も同様である。ステップＳ２と同じ状態が繰り返される。
【０１１０】
このように、第１の操作部１３等の操作でページを呼び出すときにファイルを切り換えていくことで、ファイル毎に指定の表示優先度のページを、単一の操作で簡単に呼び出し、次々に閲覧していくことができる。
【０１１１】
（表示更新動作例３）
図７は、表示更新動作例３の各操作ステップでの表示ファイルと、表示ページ、表示優先度情報を示す対応表である。図７を用いて表示更新動作例３の表示動作について説明する。
【０１１２】
複数の表示用ファイルＡ、Ｂが、この表示順序で保存されているとする。２つのファイルともに、設定された表示優先度情報は図４に示したと同様であるとする。
【０１１３】
ステップＳ１で、情報表示装置の表示が起動し、表示用ファイルＡの先頭ページ、Ｐ１が表示される。
【０１１４】
ステップＳ２で、操作１１ａにより、表示するページがＰ１からＰ２に送られる。それとともに表示しているページ（Ｐ２）の表示優先度が表示優先度１に書き換えられる。表示優先度２のＰ１０はそのままとする。
【０１１５】
ステップＳ３でも同様に、操作１１ａにより、表示するページがＰ２からＰ３に送られる。それとともに表示しているページ（Ｐ３）の表示優先度が表示優先度１に書き換えられる。表示優先度２のＰ１０はそのままとする。
【０１１６】
ステップＳ４では、操作１３ｂにより、表示するファイルがファイルＡからファイルＢに切り換えられ、それとともに表示するページがファイルＡのＰ３からファイルＢの表示優先度２のＰ１０に切り換えられる。
【０１１７】
ステップＳ５でも同様に、操作１３ａにより、表示するファイルがファイルＢからファイルＡに戻り、それとともに表示するページがファイルＢのＰ１０からファイルＡの表示優先度１のＰ３に切り換えられる。
【０１１８】
このように、ページ閲覧履歴に従い、すなわちページ送り戻し操作部１１等の操作で表示するページを切り換える毎に、新たに表示したページの表示優先度を高くするよう更新していくことで、例えばファイルＡを１ページずつ読み進めながら、随時ファイルＢの特定ページを参照するといった操作が、単一の操作で簡単に行うことができる。
【０１１９】
（表示更新動作例４）
図８は、表示更新動作例４の各操作ステップでの表示ファイルと、表示ページ、表示優先度情報を示す対応表である。図８を用いて表示更新動作例４の表示動作について説明する。
【０１２０】
複数の表示用ファイルＡ、Ｂが、この表示順序で保存されているとする。２つのファイルともに、設定された表示優先度情報はデフォールトの状態、すなわち表示優先度１がＰ１、表示優先度２がＰ２であるとする。
【０１２１】
ステップＳ１で、情報表示装置の表示が起動し、表示用ファイルＡの先頭ページ、Ｐ１が表示される。
【０１２２】
ステップＳ２で、操作１１ａが４回繰り返されたとする。これにより、表示するページがＰ２からＰ５まで送られる。表示しているページの表示優先度はそのままとする。
【０１２３】
ステップＳ３では、操作１４ａにより、表示しているページ（Ｐ５）の表示優先度が表示優先度１に書き換えられる。表示優先度２のＰ２はそのままとする。
【０１２４】
ステップＳ４で、再びファイルＡを読み進める。すなわち操作１１ａが４回繰り返されたとする。これにより、表示するページがＰ６からＰ９まで送られる。なお、その間、表示優先度１のページはＰ５のままである。
【０１２５】
ステップＳ５で、操作１３ａにより、表示するファイルがファイルＡからファイルＢに切り換えられ、それとともに表示するページがファイルＡのＰ９からファイルＢの表示優先度１のＰ１に切り換えられる。
【０１２６】
ステップＳ６で、再度操作１３ａにより、表示するファイルがファイルＢからファイルＡに戻り、それとともに表示するページがファイルＢのＰ１からファイルＡの表示優先度１のＰ５に切り換えられる。
【０１２７】
このように、第２の操作部１４の操作で、表示中のページの表示優先度を高くするよう更新することで、例えばユーザがファイルＡを１ページずつ読み進めながら、頻繁に参照したいと判断したページに対して、単一の操作で簡単に優先度指定が行うことができ、ファイルＡを読み進め、ファイルＢを参照した後でも、単一の操作で簡単に呼び出すことができる。
【０１２８】
（ファイル限定操作）
表示更新動作例５の説明の前に、表示用ファイルの限定操作の例について述べておく。
【０１２９】
文書を閲覧する場合、複数の文書を見比べることが多々ある。その場合も、短時間内に開く文書数は、１、２ファイル程度である。
【０１３０】
端末としての本情報装置内に保存する電子ファイル数には制限を設ける必要はないが、その時点で使用する表示用ファイル数を限定することで、優先度設定とその呼び出し操作を簡便化し、例えば２つのファイルを見比べる動作の利便性を増すことができる。
【０１３１】
図１０は２ファイルへのファイル限定操作時の表示例を示す図である。図１０を用いて、ファイル選択操作部１２を用いたファイル限定操作例について説明する。
【０１３２】
図１０（ａ）は、ファイルＡのページが表示部２０に表示されている表示画面２を示す図である。ここでは表示用ファイルがファイルＡとファイルＢとに限定されており、ファイルＢが非表示状態となっている。
【０１３３】
図１０（ｂ）は、逆にファイルＢのページが表示されている表示画面２を示す図である。図１０（ａ）と（ｂ）の右端のタブで非表示ファイルの存在を表現している。
【０１３４】
図１０（ａ）の状態で、例えばファイルＡとファイルＣとに限定ファイルを変更したいとする。ファイル選択操作部１２を操作すると、表示画面２は図１０（ｃ）のようになり、非表示中のファイルＢのページが縮小されて表示される。
【０１３５】
この状態で、例えばページ送り戻し操作部１１を操作すると、保存された他のファイルの表示優先度１のページを順次表示していく。
【０１３６】
図１０（ｄ）のように所望のファイルＣのページが表示されたところで、再びファイル選択操作部１２を操作すると、図１０（ａ）の状態に戻る。但し、非表示中のファイルはファイルＢではなく、ファイルＣに入れ替わっている。
【０１３７】
このように閲覧するファイルを２ファイルに限定しておくことで、第１の操作部１３等のページ呼び出し操作の繰り返しにより、ファイルＡからファイルＢ、そしてまたファイルＡへ、さらにまたファイルＢへと、ループすることになり、２ファイルを見比べるような閲覧を簡便に行うことができる。
【０１３８】
（表示更新動作例５）
図９は、表示更新動作例５の各操作ステップでの表示ファイルと、表示ページ、表示優先度情報を示す対応表である。図９を用いて表示更新動作例５の表示動作について説明する。
【０１３９】
複数の表示用ファイルＡ、Ｂが、この表示順序で保存されており、表示はこの２ファイルに限定されているとする。２つのファイルともに、設定された表示優先度情報はデフォールトの状態、すなわち表示優先度１がＰ１、表示優先度２がＰ２であるとする。
【０１４０】
ステップＳ１で、情報表示装置の表示が起動し、表示用ファイルＡの先頭ページ、Ｐ１が表示される。
【０１４１】
ステップＳ２で、操作１１ａにより、表示するページがＰ１からＰ２に送られる。それとともに表示しているページ（ファイルＡのＰ２）の表示優先度が表示優先度１に書き換えられる。表示優先度２のＰ２はそのままとする。
【０１４２】
しかしここで同時に、非表示中のファイルＢについても、同様の表示優先度更新が行われる。すなわち、ファイルＢのＰ２の表示優先度も表示優先度１に書き換えられる。
【０１４３】
ステップＳ３では、操作１３ａにより、表示するファイルがファイルＡからファイルＢに切り換えられ、それとともに表示するページがファイルＡのＰ２からファイルＢの表示優先度１のＰ２に切り換えられる。
【０１４４】
ステップＳ４では、ステップＳ２と逆の状況となる。すなわち再度操作１１ａにより、表示するページがファイルＢのＰ２からＰ３に送られる。それとともに表示しているページ（ファイルＢのＰ３）の表示優先度が表示優先度１に書き換えられる。表示優先度２のＰ２はそのままとする。
【０１４５】
しかしまた、ここで同時に、非表示中のファイルＡについても、同様の表示優先度更新が行われる。すなわち、ファイルＡのＰ３の表示優先度も表示優先度１に書き換えられる。
【０１４６】
ステップＳ５では、ステップＳ３と同様に、再度操作１３ａにより、表示するファイルがファイルＢからファイルＡに切り換えられ、それとともに表示するページがファイルＢのＰ３からファイルＡの表示優先度１のＰ３に切り換えられる。
【０１４７】
このように、ファイルＡとファイルＢのページ送り、すなわち表示優先度の自動更新を連動させて、簡単に他方のファイルを参照することができる。例えば、原文と翻訳文書を見比べる際等に、２ファイルを同時に読み進めるといった動作も簡単に可能となる。
【０１４８】
上述してきたように、本実施形態に係る情報表示装置によれば、簡単な操作により、容易に目的のページへアクセスすることができるので、表示画面を大きくしたり、表示部を複数備えたりすることを必要とせず、ユーザの使い勝手を犠牲にすることなく、小型化、低コスト化が可能となる。
【０１４９】
なお、上述の実施形態は、すべての点で例示であって制限的なものではない。本発明の範囲は上記した説明ではなく特許請求の範囲によって示され、特許請求の範囲と均等の意味及び範囲内でのすべての変更が含まれることが意図される。
【符号の説明】
【０１５０】
１  情報表示装置本体
２  表示画面
１０  操作部（操作手段）
１１  ページ送り戻し操作部
１２  ファイル選択操作部
１３  第１の操作部
１４  第２の操作部
２０  表示部（表示手段）
３０  表示制御部（表示制御手段）
３１  表示優先度処理部
３２  表示更新処理部
３３  その他制御部
４０  記憶部（記憶手段）
５０  インターフェイス
６０  メモリ
【図１】
2011118505.tif 000003
【図２】
2011118505.tif 000004
【図３】
2011118505.tif 000005
【図４】
2011118505.tif 000006
【図５】
2011118505.tif 000007
【図６】
2011118505.tif 000008
【図７】
2011118505.tif 000009
【図８】
2011118505.tif 000010
【図９】
2011118505.tif 000011
【図１０】
2011118505.tif 000012